【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
隣り合うロータ羽根（３０）のプラットフォーム（５０）の間において周方向の取り付けスロット（５４）に挿入されるロック用スペーサアセンブリ（１００）であって、
前記隣り合うロータ羽根（３０）のプラットフォーム（５０）の間の空間にはまり込むように構成され、プラットフォーム部分（１１０）および根元部分（１１２）を備えており、前記プラットフォーム部分（１１０）および前記根元部分（１１２）が第１の内面（１２０）を定め、前記根元部分（１１２）が第１の突出部（１２２）および反対向きの第２の突出部（１２４）を定め、前記第１の突出部（１２２）が前記取り付けスロット（５４）の第１の側方の凹所（１２６）に突出するように構成された外形を有し、前記第２の突出部（１２４）が前記取り付けスロット（５４）の第２の側方の凹所（１２８）に突出するように構成された外形を有している第１の端部ピース（１０２）と、
前記第１の端部ピース（１０２）の前記第１の内面（１２０）と前記取り付けスロット（５４）の側壁部分との間にはまり込むように構成され、プラットフォーム部分（１３２）および根元部分（１３４）を有している第２の端部ピース（１０４）と、
前記第１の端部ピース（１０２）および前記第２の端部ピース（１０４）を貫いて連続的に延びる貫通穴（１４４）と、
前記貫通穴（１４４）を貫いて延びる固定具（１０６）と
を備えており、
前記固定具（１０６）の一端が前記取り付けスロット（５４）の前記側壁部分（６４）に係合するように構成されているロック用スペーサアセンブリ（１００）。
【請求項２】
前記貫通穴（１４４）が、前記第１の端部ピース（１０２）の前記プラットフォーム部分（１１０）および前記第２の端部ピース（１０４）の前記根元部分（１３４）を貫いて延びている請求項１に記載のロック用スペーサアセンブリ（１００）。
【請求項３】
前記貫通穴（１４４）が、前記第２の端部ピース（１０４）の前記根元部分（１３４）の側壁を貫いて延びている請求項１または２に記載のロック用スペーサアセンブリ（１００）。
【請求項４】
前記貫通穴（１４４）が、前記第１の端部ピース（１０２）または前記第２の端部ピース（１０４）の少なくとも一方にねじ山を備えている請求項１乃至３のいずれかに記載のロック用スペーサアセンブリ（１００）。
【請求項５】
前記固定具（１０６）が、ねじ山を備えている請求項１乃至４のいずれかに記載のロック用スペーサアセンブリ（１００）。
【請求項６】
前記第１の端部ピース（１０２）または前記第２の端部ピース（１０４）の一方に形成された凹所（１５４）と、前記第１の端部ピース（１０２）または前記第２の端部ピース（１０４）の他方に形成されたカラー（１５６）とをさらに備え、前記凹所（１５４）が、前記第１の端部ピース（１０２）および前記第２の端部ピース（１０４）が前記取り付けスロット（５４）に設置されたときに前記カラー（１５６）を受け入れるように構成されている請求項１乃至５のいずれかに記載のロック用スペーサアセンブリ（１００）。
【請求項７】
前記第２の端部ピース（１０４）の前記プラットフォーム部分（１３２）および前記根元部分（１３４）が、前記第１の内面（１２０）と係合する第２の内面（１４２）を定め、
前記第１の内面（１２０）および前記第２の内面（１４２）が、当該ロック用スペーサアセンブリ（１００）の軸方向の平面に対して斜めに広がっている請求項１乃至６のいずれかに記載のロック用スペーサアセンブリ（１００）。
【請求項８】
周方向に延びる連続的な取り付けスロット（５４）を定めている前側および後ろ側ポスト（５６）を備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備えるロータアセンブリであって、
前記ロック用スペーサアセンブリ（１００）が、
前記隣り合うロータ羽根（３０）の前記プラットフォーム（５０）の間の空間にはまり込むように構成され、プラットフォーム部分（１１０）および根元部分（１１２）を備えており、前記プラットフォーム部分（１１０）および前記根元部分（１１２）が第１の内面（１２０）を定め、前記根元部分（１１２）が第１の突出部（１２２）および反対向きの第２の突出部（１２４）を定め、前記第１の突出部（１２２）が前記取り付けスロット（５４）の第１の側方の凹所（１２６）に突出するように構成された外形を有し、前記第２の突出部（１２４）が前記取り付けスロット（５４）の第２の側方の凹所（１２８）に突出するように構成された外形を有している第１の端部ピース（１０２）と、
前記第１の端部ピース（１０２）の前記第１の内面（１２０）と前記取り付けスロット（５４）の側壁部分との間にはまり込むように構成され、プラットフォーム部分（１３２）および根元部分（１３４）を有している第２の端部ピース（１０４）と、
前記第１の端部ピース（１０２）および前記第２の端部ピース（１０４）を貫いて連続的に延びる貫通穴（１４４）と、
前記貫通穴（１４４）を貫いて延びる固定具（１０６）と
を備えており、
前記固定具（１０６）の一端が前記取り付けスロット（５４）の前記側壁部分（６４）に係合するロータアセンブリ。
【請求項９】
前記貫通穴（１４４）が、前記第１の端部ピース（１０２）の前記プラットフォーム部分（１１０）および前記第２の端部ピース（１０４）の前記根元部分（１３４）を貫いて連続的に延び、
前記貫通穴（１４４）が、前記第２の端部ピース（１０４）の前記根元部分（１３４）の側壁を貫いて延び、
前記貫通穴（１４４）の少なくとも一部分が、ねじ山を備えており、前記固定具（１０６）が、前記貫通穴（１４４）のねじ山と対をなすねじ山を備え、
前記第１の端部ピース（１０２）または前記第２の端部ピース（１０４）の一方に形成された凹所（１５４）と、前記第１の端部ピース（１０２）または前記第２の端部ピース（１０４）の他方に形成されたカラー（１５６）とをさらに備え、前記凹所（１５４）が、前記第１の端部ピース（１０２）および前記第２の端部ピース（１０４）が前記取り付けスロット（５４）に設置されたときに前記カラー（１５６）を受け入れるように構成されて、
前記第２のピース（１０４）の前記プラットフォーム部分（１３２）および前記根元部分（１３４）が、前記第１の内面（１２０）と係合する第２の内面（１４２）を定め、
前記第１の内面（１２０）および前記第２の内面（１４２）が、前記ロック用スペーサアセンブリ（１００）の共通の軸方向の中心線に対して垂直に広がっている請求項８に記載のロータアセンブリ。
【請求項１０】
圧縮機と、
燃焼器と、
タービンと
を備えており、
前記圧縮機または前記タービンの少なくとも一方が、
周方向に延びる連続的な取り付けスロット（５４）を定めている前側および後ろ側ポストを備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備え、
前記ロック用スペーサアセンブリ（１００）が、
前記隣り合うロータ羽根（３０）の前記プラットフォーム（５０）の間の空間にはまり込むように構成され、プラットフォーム部分（１１０）および根元部分（１１２）を備えており、前記プラットフォーム部分（１１０）および前記根元部分（１１２）が第１の内面（１２０）を定め、前記根元部分（１１２）が第１の突出部（１２２）および反対向きの第２の突出部（１２４）を定め、前記第１の突出部（１２２）が前記取り付けスロット（５４）の第１の側方の凹所（１２６）に突出するように構成された外形を有し、前記第２の突出部（１２４）が前記取り付けスロット（５４）の第２の側方の凹所（１２８）に突出するように構成された外形を有している第１の端部ピース（１０２）と、
前記第１の端部ピース（１０２）の前記第１の内面（１２０）と前記取り付けスロット（５４）の側壁部分との間にはまり込むように構成され、プラットフォーム部分（１３２）および根元部分（１３４）を有している第２の端部ピース（１０４）と、
前記第１の端部ピース（１０２）および前記第２の端部ピース（１０４）を貫いて連続的に延びる貫通穴（１４４）と、
前記貫通穴（１４４）を貫いて延びる固定具（１０６）と
を備えており、
前記固定具（１０６）の一端が前記取り付けスロット（５４）の前記側壁部分（６４）に係合するターボ機械。
【請求項１１】
前記貫通穴（１４４）が、前記第１の端部ピース（１０２）の前記プラットフォーム部分（１１０）および前記第２の端部ピース（１０４）の前記根元部分（１３４）を貫いて連続的に延び、
前記貫通穴（１４４）が、前記第２の端部ピース（１０４）の前記根元部分（１３４）の側壁を貫いて延び、
前記貫通穴（１４４）が、前記第１の端部ピース（１０２）または前記第２の端部ピース（１０４）の少なくとも一方にねじ山を備え、
前記第１の端部ピース（１０２）または前記第２の端部ピース（１０４）の一方に形成された凹所（１５４）と、前記第１の端部ピース（１０２）または前記第２の端部ピース（１０４）の他方に形成されたカラー（１５６）とをさらに備え、前記凹所（１５４）が、前記第１の端部ピース（１０２）および前記第２の端部ピース（１０４）が前記取り付けスロット（５４）に設置されたときに前記カラー（１５６）を受け入れるように構成されている請求項１０に記載のターボ機械。